(57)【要約】【課題】先端の竿体の伸びを良し、他の竿体も円滑かつ迅速に振り出すことができる魚釣用玉網を提供する。【解決手段】    装着部材の外周には複数の第１の空気出入孔を設けるとともに、装着部材の外周を覆うように円筒状の装着補強部材を設け、装着補強部材は軸方向に前記空気出入孔を跨ぐように両端部で玉網装着部材の外周に接触する接触部を設け、かつ、該空気出入孔の近傍で装着部材外周と円筒状の装着補強部材の内周との間には軸径方向に隙間を有し、該装着補強部材の外周も複数の第２の空気出入孔を設け、該第２の空気出入孔と前記第１の空気出入孔とは前記軸方向にずれて配置され、竿を伸長する際には外気が第２の空気出入孔から第１の空気出入孔を通って竿体内に導入される魚釣用玉網。【選択図】図６
2010022284.tif 000002
【特許請求の範囲】
【請求項１】
円筒状でテーパーが付された太さの異なる複数本の竿体を最も太い元竿体から細い竿体に順に挿通されて伸縮自在に振出される玉網において、
複数本の竿体の最も細い先端竿体の先端に玉網の装着部材を設けて玉網を装着し、
前記装着部材の円筒状の外周には複数の第１の空気出入孔を設けるとともに、該装着部材の外周を覆うように円筒状の装着補強部材を設け、
該装着補強部材は軸方向に前記空気出入孔を跨ぐように両端部で装着部材の外周に接触する接触部を設け、かつ、該空気出入孔の近傍で装着部材の外周と装着補強部材の内周との間は軸径方向に隙間を有し、
該装着補強部材の外周にも複数の第２の空気出入孔を設け、該第２の空気出入孔と前記第１の空気出入孔とは前記軸方向にずれて配置され、
竿を伸長する際には外気が第２の空気出入孔から前記間隔を通って第１の空気出入孔から竿体内に導入され、竿を短縮する際には竿内の空気が第１の空気出入孔を通って第２の空気出入孔から戸外に排気されることを特徴とする魚釣用玉網。
【請求項２】
前記装着補強部材の一端の接触部は、前記玉網装着部材の外周に設けた雄ネジ部に対応する雌ネジ部によって縲合させて接触固定したことを特徴とする請求項１に記載の魚釣用玉網。
【請求項３】
前記魚釣用玉網の元竿体の竿尻側端部は尻栓を設け、前記装着部材から玉網を取り外して元竿体に収納する際には、前記装着部材の先端にゴム蓋部材を装着して元竿体の開口側に嵌合することを特徴とする請求項１又は請求項２に記載の魚釣用玉網。
【発明の詳細な説明】
【技術分野】
【０００１】
本発明は、主に磯釣りに使用される魚釣用玉網に関し、特に、必要時に迅速に玉網を所定の長さへ振出すことができる魚釣用玉網に関する。
【背景技術】
【０００２】
魚釣用玉網は、円筒状でテーパーが付された太さの異なる複数本の竿体が太い竿体に細い竿体が順に挿通されて伸縮自在に構成され、使用時には最も細い先端竿体に玉網を装着し、短く収納した状態で手元に置き、魚が釣れた時に片手で釣り竿を操りながら、他方の手で魚釣用玉網を所定の長さに振り出すものである。
この魚釣用玉網の一般的な使用方法として、釣れた魚を取り込むときに一方の手で釣竿を持ちながら、他方の手で魚釣用玉網を所定の長さに振り出すが、このとき、玉網の柄の元竿を持ち、玉網先端を下方に向けることで、その自重により柄を振り出すものであって、例えば、磯釣りでは５ｍ以上を振り出すが、魚を取り込む際の緊急時において速やかに振出を行うことができるものでなければならない。すなわち、魚を取り込む際に玉網を下方に向けて自然に伸ばした時に、玉網本体が接続される一番先端の一番細い先端竿が二番竿に対して十分に伸びきり、一番竿が伸縮したり回転したりすることなく、うまく魚を取り込めることが必要である。
このように、魚が釣れた時に片手で手元に置いてある魚釣用玉網のある元竿の握り部を持ち、他方の手で釣り竿を操りながら魚釣用玉網を所定の長さに振り出すのに、竿体の内部の体積が急激に大きくなるため内部が負圧となって振り出し難く、何度も振り出し動作を行わなければならず、長い魚釣用玉網においては思うように魚の取込が行えない。
【０００３】
従来の振り出し形式の魚釣用玉網の負圧状態を解消するため、特許文献１(特開2000-287582号公報)に開示されているように、竿尻側の端部に水抜き孔、兼空気出入孔が設けられ、この孔から空気が導入されて竿体内部の負圧状態を回避するものも提案されている。
しかしながら、このような竿尻側の端部の(兼：水抜き孔)空気出入孔では、玉網を装着された最も細い先端竿体の内部の負圧状態を解消することが困難で、玉網本体を装着している重要な先端竿体の伸び出しが上手くいかず、魚を玉網本体に掬いとる作業中に伸び出すことがあり魚の取込を失敗することがあった。
このため、特許文献２(実公平４−４４０７１号公報)に開示されているように、玉網本体を装着している先端竿体の先端部の周壁に空気孔を形成することが提案されている。
【特許文献１】特開２０００−２８７５８２号公報
【特許文献２】実公平４−４４０７１号公報
【発明の開示】
【発明が解決しようとする課題】
【０００４】
ところで、特許文献２(実公平４−４４０７１号公報)に開示される玉網本体を装着している先端竿体の先端部の周壁に空気孔を形成した魚釣用玉網は、元竿に収納された小径竿を下方に振り出す際、小径竿は元竿内に収納されているので、最も先端の竿体の先端の小径の空気孔から負圧になった竿体内へ空気を送り込むことから、確かに、先端竿体の伸びは幾分良くなるが十分とは言えず、他の竿体を伸ばす作用・効果が少なく、場合によっては最も先端の竿体のみが伸びてしまうこともある。これを回避する場合に空気孔の直径を大きくするか、複数孔を配置すれば良いが、玉網自体及び掛かった魚の重量が大きく、最も細い先端竿体(通常、直径14mm前後程度)の装着部には集中荷重が加わることから孔の部分で折れ易く、空気孔の直径を大きくしたり複数にすることには限界がある。
また、先端の竿体に小径の空気孔を設けるので、使用時に空気孔から海水等が竿内に侵入し、竿体が重くなって使いにくくなったり、侵入した水が小径の空気孔から排出しづらいといった不都合もある。
【０００５】
本発明は、上記の不都合に鑑みてなされたもので、先端の竿体の伸びを良くし、他の竿体も円滑かつ迅速に振り出すことができ、海水等が竿内に簡単には侵入し難くく、かつ、水が侵入しても排出しやすい魚釣用玉網を提供することにある。
【課題を解決するための手段】
【０００６】
上記の課題を解決するために、請求項１の発明は、魚釣用玉網であって、円筒状でテーパーが付された太さの異なる複数本の竿体を最も太い元竿体から細い竿体に順に挿通されて伸縮自在に振出される玉網において、複数本の竿体の最も細い先端竿体の先端に玉網の装着部材を設けて玉網を装着し、前記装着部材の円筒状の外周には複数の第１の空気出入孔を設けるとともに、該装着部材の外周を覆うように円筒状の装着補強部材を設け、該装着補強部材は軸方向に前記空気出入孔を跨ぐように両端部で装着部材の外周に接触する接触部を設け、かつ、該空気出入孔の近傍で装着部材の外周と装着補強部材の内周との間は軸径方向に隙間を有し、該装着補強部材の外周にも複数の第２の空気出入孔を設け、該第２の空気出入孔と前記第１の空気出入孔とは前記軸方向にずれて配置され、竿を伸長する際には外気が第２の空気出入孔から前記間隔を通って第１の空気出入孔から竿体内に導入され、竿を短縮する際には竿内の空気が第１の空気出入孔を通って第２の空気出入孔から戸外に排気されることを特徴とする。
請求項２の発明は、請求項１に記載の魚釣用玉網において、前記装着補強部材の一端の接触部は、前記玉網装着部材の外周に設けた雄ネジ部に対応する雌ネジ部によって縲合させて接触固定したことを特徴とする。
請求項３の発明は、請求項１又は請求項２に記載の魚釣用玉網において、前記魚釣用玉網の元竿体の竿尻側端部は尻栓を設け、前記装着部材から玉網を取り外して元竿体に収納する際には、前記装着部材の先端にゴム蓋部材を装着して元竿体の開口側に嵌合することを特徴とする。
【発明の効果】
【０００７】
本発明の実施例の魚釣用玉網によれば、魚釣用玉網の玉網の装着時に、先端竿体に強度があり、かつ、孔の断面積も大きく、孔と孔を連絡する連絡通路の断面面積も大きく、竿体内部への空気の取込みの際の空気に対する空気抵抗の少ない装着部材を装着したので、玉網自体を振り出す際に竿体内部が負圧になることが回避でき、先端の竿体の伸びを良くし、他の竿体も円滑かつ迅速に振り出すことができ、かつ、竿としての強度もあり、しかも、海水等が竿内に簡単に侵入し難くなり、水が侵入しても収納時には比較的大きな複数の空気出入孔から海水を簡単に排出することができる。
【発明を実施するための最良の形態】
【０００８】
本発明の好適な魚釣用玉網の実施例を図面に沿って説明する。
図１に示すように、魚釣用玉網Ａの竿は、４本の竿体１からなり、各竿体は円筒状でテーパーが付されており、４本の竿体を全部繰り出した全長は５.４ｍ程度であり、最も太い竿体である元竿体１１に、若干細い２番竿体１２、更に細い３番竿体１３、最も細い先端竿体１４が挿通されて伸縮自在に振り出される構成である。
元竿体１１の竿尻側端部は尻栓１１１が着脱自在に嵌合させており、先端竿体１４の先端には円柱状の玉網の装着部材２及び装着補強部材３を設け、装着部材２には玉網４自体が装着されている。
【０００９】
本魚釣用玉網の使用時には、図１の状態のように短く収納した状態で手元に置き、魚が釣れた時に片手で釣り竿を操りながら、他方の手で魚釣用玉網を所定の長さに振り出すが、このとき、図２に示すように、片手で玉網の元竿体１１の柄の部分１１２を持ち、玉網４の先端を下方に向けることで、その自重により柄を振り出すようになっており、魚を取り込む際に玉網４を下方に向けて自然に伸ばした時に、玉網４本体が接続される先端竿体１４が竿体１３に対して十分に伸びきり、先端竿体１４が伸縮したり回転したりすることなく完全に嵌合固定して、うまく魚を取り込める状態となる。
図２の装着部材２の近傍Ｂの拡大斜視図を図３に示すが、図３に示すように、最も細い先端竿体１４に装着補強部材３を嵌合した装着部材２を嵌挿して接着剤等で固着し、装着部材２の先端には玉網４を装着する。この玉網４はほぼ円形の枠体４１に網部４２が取り付けられ、枠体４１の一部には竿に取り付ける取付ネジ４３が設けられ、取付ネジ４３を装着部材２の先端の雌ネジ部２１１に縲合し、玉網４を先端竿体１４に装着部材２を介して固定する。
【００１０】
ここで、装着部材２の詳細を、図４(ａ)の断面図と、図４(ａ)の(4)-(4)線断面図の図４(ｂ)に沿って説明する。
装着部材２の先端円筒部２１には 円筒部の内周面に玉網４の取付ネジ４３に対応する雌ネジ部２１１が設けられ、後端円筒部２２は先端竿体１４の内壁に挿入する竿固定部２２１が設けられ、先端竿体１４の先端を係止部する係止突起部２２２が設けられ、円筒中央部２３近傍には、図４(ｂ)に示すように、４個の第１の空気出入孔２４が同一軸径の外形に沿って均等の間隔(９０度間隔)で設けれている。この空気出入孔２４の１個の直径は約４.５mmとしたので空気の出入りの際の空気に対する抵抗は十分に小さい。また、後端円筒部２２の外周の一部には、装着補強部材３を取り付けるための雄ネジ部２１２が設けられている。
【００１１】
次に、装着補強部材３の詳細を、図５(ａ)の断面図と、図５(ａ)の(5)-(5)線断面図の図５(ｂ)に沿って説明する。
円筒状で装着部材２と同軸の装着補強部材３は、装着部材２に比較的大径の空気出入孔２４をしかも４箇所も設けたために強度不足となる部分の強度を補強するもので、図５(ａ)に示すように、装着補強部材３の円筒中央部３１の内径(20mm)は装着部材２の外径(15mm)よりも大きく、装着部材２の外周と装着補強部材３の内周との間には軸径方向の隙間に空気抵抗がないように十分な空間を有している。
そして、装着部材２の軸方向に空気出入孔２４を跨ぐように(図６を参照)、円筒状の装着補強部材３の両端部３２,３３で装着部材２の外周に接触する接触部３２１、３３１を設けている。玉網４側の一方の接触部３２１は装着部材２の外周の雄ネジ部２１２に対応する雌ネジ部３２２で縲合固着している。また、他方の接触部３３１は円錐台形で先端の内径は先端竿体１４の外径とほぼ同じで、先端竿体１４を保持する機能を有している。
円筒中央部３１の竿体側近傍には、図５(ｂ)に示すように、６個の第２の空気出入孔３４が同一軸径の外形に沿って均等の間隔(６０度間隔)で設けられている。この空気出入孔３４の１個の直径も約４.５mmとしたので空気の出入り抵抗は十分に小さい。
【００１２】
ここで、装着部材２及び装着補強部材３を介して、竿１及び玉網４を装着した状態を図６を参照して説明する。
図６に示すように、装着部材２の竿固定部２２１を、先端竿体１４の内壁に接着剤等を塗布し係止突起部２２２まで挿入して強固に固着し、次に、装着補強部材３を装着部材２の先端に接触部３３１から挿入し、外周雄ネジ部２１２に装着補強部材３の雌ネジ部３２２を縲合して固定する。この際、接触部３３１は若干のテーパーのある竿体１４を接触するように固定している。
装着部材２の先端の内壁の雌ネジ部２１１には、玉網４の取付ネジ４３のネジ部４３２を縲合して玉網４を装着する。なお、本実施例の玉網４は、図６に示すように、ほぼ円形を形成する枠体４１は、端部４１１、４１２を合わせて該端部の嵌合孔4111,4121に取付ネジ４３を嵌合し、取付ネジ４３の頭部431をビス４４で固定し、ネジ部４３２を雌ネジ部２１１に縲合固定する。
【００１３】
[空気出入について]
ここで、空気出入孔２４,３４について説明すると、各空気出入孔２４,３４は魚釣用玉網としては比較的大きな直径約４.５cmの孔で空気に対する抵抗も少なく、空気出入孔２４と空気出入孔３４との連絡空間も装着部材２の外周と装着補強部材３の内周との間は全周に亘って５mmあり、十分な断面積のある空気通路を形成しているから、軸径方向にたいしても空気抵抗がないよう十分な空間を有している。
したがって、魚釣用玉網の竿を振り出す際には、図６の矢印ａ，ｂ，ｃに示すような順に、竿体内部が負圧にならないように、迅速に十分な空気が導入されるようになっている。
この場合の玉網装着箇所の強度について説明すると、装着部材２の第１の空気出入孔２４と、装着補強部材３の空気出入孔３４とは、図６に示すように、これらの部材の軸方向にずれて配置、即ち、空気出入孔２４は玉網４側に、空気出入孔３４は先端竿体１４側にずれて配置されている。また、軸径方向についても、装着部材２の外周には９０度の間隔で４個の空気出入孔２４が配置され、装着補強部材３の外周には６０度の間隔で６個の空気出入孔が配置され、一部が軸線方向に一致するものの大部分は軸径方向にずれて配置されている。これは、応力が一箇所に集中しないようにして、装着部材２で折れることがないようにしたためである。
付言すれば、装着補強部材３は軸方向に空気出入孔２４を跨ぐように両端部３２,３３で装着部材２の外周に接触する接触部321,331が設けられているので、本来、装着部材２の空気出入孔２４で折れ曲がる応力を装着補強部材３の接触部321,331が受け、装着部材２と装着補強部材３とが協働して対応するので、結果として強度が増強する。
また、空気の竿体内への流入経路は複雑なので、海水やゴミが従来の単に竿外周に設けた空気出入孔に比べて枠体内には入り難く、また、ゴミが空気出入孔２４と空気出入孔３４との連絡空間に詰まっても、雌ネジ322を回して縲合を外すことで装着補強部材３を除いて簡単にゴミを取り除くことができる。
【００１４】
装着部材２から玉網４を取り外して元竿体１１に収納する際には、図７に示すように、振り出しとは逆に、最も太い竿体である元竿体１１内に、若干細い２番竿体１２、更に細い３番竿体１３の順に挿入し、最後に、最も細い先端竿体１４及び装着部材２の先端の先端円筒部２１にゴム蓋部材５を装着し、このゴム蓋部材５を元竿体１１の先端部１１３の開口の内周部に挿入して収納する。
このように収納すると、魚釣用玉網の元竿体１１の竿尻側端部は尻栓１１１が嵌合されており、元竿体の開口側もゴム蓋部材５を嵌合して元竿体内部に全ての竿体を収納することができ、装着部材２及び装着補強部材３の空気出入孔は外部に露出しないので、異物が混入することがない。
尻栓１１１の詳細は、元竿体１１の端部の外周に円筒状の尻栓装着部材1111を接着固定し、尻栓装着部材1111の内壁には雌ネジが設けられ、円盤状の尻栓部材1112の雄ネジが雌ネジに縲合して竿尻側端部に栓をする。本実施例では、この尻栓部材1112の中心部には空気出入孔1113が設けられ、元竿体１１の内部側にはゴム部材1114が配置されて、２番竿体１２、３番竿体１３、先端竿体１４の端部は接触しても傷等が付されないようにしている。
【００１５】
ここで、本実施例の尻栓１１１は、従来のように空気孔1113を設けても良いが、空気孔1113を設けた場合は、元竿部側の伸びも良くなるが、空気孔1113をあまり大きくすると、竿尻側の端部の孔は地面に接触する機会が多く、砂、土、ゴミ等の異物が竿体内に入り易すくなるので、必要最小限の大きさに留める必要がある。なお、本実施例では、仮に、海水が竿体内に進入しても、収納使用時には、玉網を下方向に収納する為、内部圧が元竿より順に圧縮され、比較的大きな複数の空気出入孔２４,３４が設けられていることから、この空気出入孔２４,３４から海水を簡単に排出することができ、更に、携帯収納する際には玉網を取り外して先端の雌ねじ部２１１を大きく開放するため、ここから容易に海水は放出することができる。
場合によっては尻栓の空気孔を設けなくてもよく、この場合には、多少元竿側の伸びは鈍るが、尻栓１１１及びゴム蓋部材５が気密であるので、元竿体内部が密封状態になるため、仮に、元竿内に海水等が入っていても、収納後にも海水等が洩れだして不側の事態を招くことを防ぐことができる。
【００１６】
以上のように、本発明の実施例の魚釣用玉網によれば、玉網の装着時に、先端竿体に強度があり、かつ、孔の断面積も大きく、孔と孔を連絡する連絡通路の断面面積も大きく、竿体内部への空気の取込に抵抗の少ない装着部材を装着したので、玉網自体を振り出す際に竿体内部が負圧になることを回避でき、前掲の特許文献２に開示される先端竿体の先端部の小さな空気孔(従来技術)と比べ格段に先端竿体の伸びを良くし、更に、他の竿体も円滑かつ迅速に振り出すことができ、かつ、海水等が竿内に簡単に侵入し難く、水が侵入しても容易に排出可能である。
なお、本発明の特徴を損なうものでなければ、上記の実施例の構成に限定されるものでないことは勿論である。
【図面の簡単な説明】
【００１７】
【図１】本発明の実施例の魚釣用玉網の全体を示す概略図、
【図２】図１の魚釣用玉網の玉網を振り出した状態の側面図、
【図３】本発明の装着部材２及び装着補強部材３の斜視図、
【図４】図４(a)は図３の装着部材２の断面図、図４(b)は(4)−(4)線での断面図、
【図５】図５(a)は図３の装着補強部材３の断面図、図５(b)は(5)−(5)線での断面図、
【図６】装着部材２及び装着補強部材３に竿体１４及び玉網４を装着した部分断面図、
【図７】装着部材２から玉網４を取り外して、元竿体１１に装着部材２、装着補強部材３、及び、竿体を１４を収納した状態の断面図である。
【符号の説明】
【００１８】
Ａ・・・魚釣用玉網、
１・・竿、１１・・元竿体、１２,1３・・竿体、１4・・先端竿体、
111・・ゴム栓、1111・・尻栓装着部材、1112・・尻栓部材、
1113・・空気出入孔、1114・・ゴム部材、112・・柄の部分、113・・先端部
２・・装着部材、２１・・先端円筒部、211・・雌ネジ部、212・・雄ネジ部、
２２・・後端円筒部、221・・竿固定部、222・・係止突起部、
２３・・円筒中央部、２４・・空気出入孔、
３・・装着補強部材、３１・・円筒中央部、３２,３３・・端部、
321,331・・接触部、322・・雌ネジ部、
３４・・空気出入孔、
４・・玉網、４１・・枠体、411,412・・端部、４２・・網部、
4111,4121・・嵌合孔
４３・・取付ネジ、431・・頭部、432・・ネジ部、４４・・ビス、
５・・ゴム蓋部材
【図１】
2010022284.tif 000003
【図２】
2010022284.tif 000004
【図３】
2010022284.tif 000005
【図４】
2010022284.tif 000006
【図５】
2010022284.tif 000007
【図６】
2010022284.tif 000008
【図７】
2010022284.tif 000009